(57)【特許請求の範囲】
【請求項１】
基端側にサスペンション部を有するロードビームと、該ロードビームの先端側に取り付けられたフレキシャと、ロール運動及びピッチ運動が可能な状態で前記フレキシャに取り付けられるとともに媒体対向面を有するスライダと、前記ロードビームを前記記録媒体から離れた側に付勢するリフタと、前記リフタより前記フレキシャ側で付勢された前記ロードビームを係止する第１係止部材とを具備してなる磁気ヘッド装置であり、
前記媒体対向面と離間して対向するスライダ受と、前記記録媒体側から前記ロードビームの先端と離間して対向するロードビーム受と、付勢された前記ロードビームの先端を係止する第２係止部材と、前記第１、第２係止部材の間に位置して前記ロードビームよりも前記記録媒体から離れた側から前記ロードビームを係止する第３係止部材と、前記ロードビームよりも前記記録媒体から離れた側から前記サスペンション部を係止する第４係止部材とを更に備え、
動作時に前記リフタによる前記ロードビームの付勢が解除されることにより、前記媒体対向面が前記記録媒体と対向する動作位置まで前記スライダを変位させるようにしたことを特徴とする磁気ヘッド装置。
【請求項２】
前記ロードビームよりも前記記録媒体から離れた側に前記ロードビームと対向するカバーが備えられ、前記第１、２、３係止部材は前記カバーに備えられたものであることを特徴とする請求項１に記載の磁気ヘッド装置。
【請求項３】
前記ロードビームの両側部が前記記録媒体から離れた側に折り曲げられて、前記ロードビームの長手方向に沿う折曲部が設けられ、
静姿勢時において、前記折曲部のフレキシャ側先端が前記第３係止部材に接するとともに、前記フレキシャ側先端よりも基端側で前記折曲部が前記第１係止部材に接することを特徴とする請求項１または請求項２に記載の磁気ヘッド装置。
【請求項４】
前記カバーの前記第２、３係止部材間に貫通孔が設けられるとともに、前記貫通孔に連通して前記第１係止部材側に延在する収納穴が設けられ、
待避時において、前記第１係止部材より先端側にある前記ロードビームが、前記貫通孔内及び前記収納穴内に配置されることを特徴とする請求項１ないし請求項３のいずれかに記載の磁気ヘッド装置。
【発明の詳細な説明】
【０００１】
【発明の属する技術分野】
本発明は磁気ヘッド装置に関するものであり、特に、耐衝撃性に優れた磁気ヘッド装置に関するものである。
【０００２】
【従来の技術】
従来から、磁気記録方式の一種に光磁気記録方式があり、この光磁気記録方式には浮上型スライダを有する磁気ヘッド装置が用いられる場合がある。従来の浮上式の磁気ヘッド装置においては、外部の衝撃が加わった場合にスライダと記録媒体との衝突を避けるべく、記録動作時以外にはスライダを待避状態に付勢する付勢機構を備えたものが採用されている。
【０００３】
この従来の磁気ヘッド装置を図面を参照して説明する。図５は従来の浮上式の磁気ヘッド装置の要部を示す図であってスライダの待避時の状態を示す側面図である。
図５に示すように、この磁気ヘッド装置は、ロードビーム１２０とフレキシャ１２１とスライダ１２２から概略構成されている。また、符号１２５は、この磁気ヘッド装置に記録媒体が挿入された場合の記録媒体の挿入位置を一点鎖線で示したものである。
【０００４】
ロードビーム１２０は、図５に示すように、基端側に板バネ等からなるサスペンション部１２３が設けられ、このサスペンション部１２３の一端が基体１２４に取り付けられている。
また、ロードビーム１２０の先端側には、下方に折り曲げた垂直平板部１２０ｂと、この垂直平板部１２０ｂの下端から略水平に折り曲げた水平平板部１２０ｃとが形成され、垂直平板部１２０ｂの下端にはピボット部１２０ｄが設けられている。また、ロードビーム１２０の先端よりやや基端側には、下方に向けて曲下部１２０ｈが延出されており、その先端には係合部１２０ｉが略水平に延出している。
水平平板部１２０ｃに後述するフレキシャ１２１の固定部１２１ａが接着剤１２０ｆによって固着されることにより、ロードビーム１２０とフレキシャ１２１が接合されている。
【０００５】
フレキシャ１２１は、バネ材の薄板をプレス成形により加工して一体に形成したものであり、固定部１２１ａ、ガイド爪１２１ｉ、橋絡部１２１ｂ、舌片１２１ｄ、ストッパ１２１ｅ及びフック部１２１ｆから構成されている。固定部１２１ａは、ロードビーム１２０の水平平板部１２０ｃとフレキシャ１２１とを互いに固定する部分である。また固定部１２１ａは橋絡部１２１ｂを介して舌片１２１ｄ及びフック部１２１ｆと連結されている。更に固定部１２１ａの周囲にはガイド爪１２１ｉ…が設けられている。
また舌片１２１ｄからはストッパ１２１ｅが立ち上がり、ストッパ１２１ｅは、ロードビーム１２０の水平平板部１２０ｃに設けられた図示しない貫通孔に挿入されている。これにより、スライダ１２２の待避時のローリング方向またはピッチング方向の過剰な傾きが規制される。
【０００６】
また、フレキシャ１２１の舌片１２１ｄの下面にはスライダ１２２が固定されている。ロードビーム１２０とフレキシャ１２１が接合されると、ロードビーム１２０の垂直平板部１２０ｂの下端に設けられたピボット部１２０ｄが、スライダ１２２の背面側に固定されている舌片１２１ｄを押圧する。
スライダ１２２は、記録媒体の回転に伴う空気の流れによって記録媒体の表面上で浮上し、フレキシャ１２１の弾性により、ピボット部１２０ｄの先端を支点として、姿勢をローリング方向またはピッチング方向に自由に変えることができるようになっている。
【０００７】
また、スライダ１２２の待避時にローリング方向又はピッチング方向の過剰な動きを規制するために、スライダ１２２の過剰な動きを規制する係合部１２０ｉがロードビーム１２０の曲下部１２０ｈの先端に設けられ、係合部１２０ｉがフレキシャ１２１のフック部１２１ｆに設けられた図示略の貫通孔に挿入される。
【０００８】
また、ロードビーム１２０には折曲部１２０ａが形成されている。折曲部１２０ａ’は、ロードビーム１２０の幅方向両端が上側に折り曲げられて形成され、ロードビーム１２０の長手方向の剛性を高めている。
【０００９】
更に、図５に示す磁気ヘッド装置には、ロードビーム１２０を記録媒体１２５から離れた側に付勢するリフタ１２６と、リフタ１２６よりもフレキシャ１２１側にて付勢状態のロードビーム１２０を係止する第１係止部材１２７が備えられている。
リフタ１２６は、図示略の駆動手段によって、上下方向に昇降するように構成されている。図５の実線で示すリフタ１２６は上昇位置にある状態を示し、一点鎖線で示すリフタ１２６は下降位置にある状態を示す。
リフタ１２６は、上昇位置にてロードビーム１２０の長手方向中央よりも基端寄りの下側からロードビーム１２０を上方（記録媒体１２５から離れた側）に付勢し、これによりスライダ１２２が図中実線で示すような待避の状態に維持される。
また、リフタ１２６が下降位置にある場合には、サスペンション部１２３のバネ力によりロードビーム１２０が記録媒体１２５側に付勢され、これによりスライダ１２２が図中二点鎖線で示す動作位置に付勢されて、記録媒体１２５に磁気情報を書き込めるようになっている。
【００１０】
また、第１係止部材１２７は、ロードビーム１２０の上側に備えられたカバー１２８と一体で形成されている。
カバー１２８は、基体１２４に取り付けられ、ロードビーム１２０の上側に位置して基体１２４側からロードビーム１２０に沿って延在している。そして、このカバー１２８の先端部分が第１係止部材１２７とされている。
待避時においては、リフタ１２６によりロードビーム１２０が上側に付勢されるとともに、ロードビーム１２０の折曲部１２０ａがこの第１係止部材１２７に接して係止されて、ロードビーム１２０がそれより上側に付勢されないように構成されている。
【００１１】
図５に示す従来の磁気ヘッド装置では、待避時において、ロードビーム１２０がリフタ１２６と第１係止部材１２７とで固定されることにより、例えば外部から衝撃が加えられた場合でも、スライダ１２２と記録媒体１２５とが接触せず、これにより記録媒体１２５の破損が防止される。
【００１２】
【発明が解決しようとする課題】
しかし、上記の磁気ヘッド装置では、ロードビーム１２０先端に位置する垂直平板部１２０ｂ、水平平板部１２０ｃ、曲下部１２０ｈ及び係合部１２０ｉ並びにフレキシャ１２１が全く固定されていない。このため、磁気ヘッド装置に対して例えば１５００Ｇ程度の大きな衝撃が加えられると、垂直平板部１２０ｂ、水平平板部１２０ｃまたはフレキシャ１２１等が変形し、ロードビーム１２０に対するスライダ１２２の取付姿勢が大きく変位してしまうという問題があった。
【００１３】
本発明は、上記事情に鑑みてなされたものであって、耐衝撃性に優れた磁気ヘッド装置を提供することを目的とする。
【００１４】
【課題を解決するための手段】
上記の目的を達成するために、本発明は以下の構成を採用した。
本発明の磁気ヘッド装置は、基端側にサスペンション部を有するロードビームと、該ロードビームの先端側に取り付けられたフレキシャと、ロール運動及びピッチ運動が可能な状態で前記フレキシャに取り付けられるとともに媒体対向面を有するスライダと、前記ロードビームを前記記録媒体から離れた側に付勢するリフタと、前記リフタより前記フレキシャ側で付勢された前記ロードビームを係止する第１係止部材とを具備してなる磁気ヘッド装置であり、前記媒体対向面と離間して対向するスライダ受と、前記記録媒体側から前記ロードビームの先端と離間して対向するロードビーム受と、付勢された前記ロードビームの先端を係止する第２係止部材と、前記第１、第２係止部材の間に位置して前記ロードビームよりも前記記録媒体から離れた側から前記ロードビームを係止する第３係止部材と、前記ロードビームよりも前記記録媒体から離れた側から前記サスペンション部を係止する第４係止部材とを更に備え、動作時に前記リフタによる前記ロードビームの付勢が解除されることにより、前記媒体対向面が前記記録媒体と対向する動作位置まで前記スライダを変位させるようにしたことを特徴とする。
【００１５】
係る磁気ヘッド装置によれば、リフタ及び第１係止部材に加えて、第３、第４係止部材によりロードビームを係止しているので、磁気ヘッド装置に強い衝撃が加えられた場合でもロードビームが変位することがなく、磁気ヘッド装置の耐衝撃性を向上させることが可能になる。
また、ロードビーム先端を第２係止部材で係止するとともに、スライダ受及びロードビーム受によってスライダ及びロードビームの動きを規制しているので、磁気ヘッド装置の中で最も耐衝撃性に劣るスライダ及びフレキシャ周辺を保護することができ、フレキシャの変形を防止してロードビームに対するスライダの取付姿勢を保つことが可能になる。
【００１６】
また本発明の磁気ヘッド装置は、先に記載の磁気ヘッド装置であり、前記ロードビームよりも前記記録媒体から離れた側に前記ロードビームと対向するカバーが備えられ、前記第１、２、３係止部材は前記カバーに備えられたものであることを特徴とする。
【００１７】
係る磁気ヘッド装置によれば、第１，２、３係止部材がカバーと一体で形成されているので、部品点数を削減することができ、磁気ヘッド装置の構成を簡素化することが可能になる。
【００１８】
また本発明の磁気ヘッド装置は、先に記載の磁気ヘッド装置であり、前記ロードビームの両側部が前記記録媒体から離れた側に折り曲げられて、前記ロードビームの長手方向に沿う折曲部が設けられ、待避時において、前記折曲部のフレキシャ側先端が前記第３係止部材に接するとともに、前記フレキシャ側先端よりも基端側で前記折曲部が前記第１係止部材に接することを特徴とする。
【００１９】
係る磁気ヘッド装置によれば、ロードビームに設けられた折曲部に第１、第３係止部材が係止するように構成されているので、ロードビームの曲げ強度がこの折曲部の形成により向上し、ロードビームが第１、第３係止部材により係止された状態で外部から強い衝撃が加えられた場合でも、強度が向上したロードビームが変形することがなく、磁気ヘッド装置の耐衝撃性を向上させることが可能になる。
【００２０】
また本発明の磁気ヘッド装置は、先に記載の磁気ヘッド装置であり、前記カバーの前記第２、３係止部材間に貫通孔が設けられるとともに、前記貫通孔に連通して前記第１係止部材側に延在する収納穴が設けられ、待避時において、前記第１係止部材より先端側にある前記ロードビームが、前記貫通孔内及び前記収納穴内に配置されることを特徴とする。
【００２１】
係る磁気ヘッド装置によれば、待避時に前記ロードビームの先端側が貫通孔及び前記収納穴に配置されるので、ロードビーム先端をカバーで固定することができ、磁気ヘッド装置の耐衝撃性をより一層高めることが可能になる。
【００２２】
【発明の実施の形態】
以下、本発明の実施の形態を図面を参照して説明する。図１は本発明の実施形態の浮上式の磁気ヘッド装置の要部を示す図であってスライダの待避時の状態を示す側面図である。また図２は図１の磁気ヘッド装置の要部を示す平面図である。
図１及び図２に示すように、この磁気ヘッド装置は、ロードビーム２０とフレキシャ２１とスライダ２２から概略構成されている。また、符号２５は、この磁気ヘッド装置に記録媒体が挿入された場合の記録媒体の挿入位置を一点鎖線で示したものである。
なお、これ以降、ロードビーム２０の記録媒体２５側を下側と称し、ロードビーム２０より記録媒体２５から離れた側を上側と称する場合がある。
【００２３】
ロードビーム２０の基端２０ｍ側には、図１に示すように、板バネ等からなるサスペンション部２３が設けられ、このサスペンション部２３の一端が基体２４に取り付けられることにより、ロードビーム１２０が基体２４に固定されている。
また、ロードビーム２０の先端２０ｎ側には、下方に折り曲げた垂直平板部２０ｂと、この垂直平板部２０ｂの下端から略水平に折り曲げた水平平板部２０ｃとが形成され、垂直平板部２０ｂの下端にはピボット部２０ｄが設けられている。また、ロードビーム２０の先端２０ｎよりやや基端側には、下側（記録媒体２５側）に向けて曲下部２０ｈが延出され、その先端には係合部２０ｉが略水平に延出している。
水平平板部２０ｃには後述するフレキシャ２１の固定部２１ａが接着剤２０ｆによって固着されることにより、ロードビーム２０とフレキシャ２１が接合されている。
【００２４】
フレキシャ２１は、バネ材の薄板をプレス成形により加工して一体に形成したものであり、固定部２１ａ、ガイド爪２１ｉ、橋絡部２１ｂ、舌片２１ｄ、ストッパ２１ｅ及びフック部２１ｆから構成されている。
固定部２１ａは、ロードビーム２０の水平平板部２０ｃとフレキシャ２１とを互いに固定する部分である。また固定部２１ａは橋絡部２１ｂを介して舌片２１ｄ及びフック部２１ｆと連結されている。更に固定部２１ａの周囲にはガイド爪２１ｉ…が設けられている。
舌片２１ｄは、橋絡部２１ｂを介して固定部２１ａから片持状に支持されており、この舌片２１ｄの下側にスライダが固定されている。スライダ２２は、媒体対向面２２ａを下側にして舌片２１ｄに取り付けられている。
ロードビーム２０とフレキシャ２１が接合されると、ロードビーム２０の垂直平板部２０ｂの下端に設けられたピボット部２０ｄが、スライダ２２の背面側に固定されている舌片２１ｄを押圧する。スライダ２２は、記録媒体の回転に伴う空気の流れによって記録媒体の表面上で媒体対向面２２ａを下にして浮上し、フレキシャ２１の弾性により、ピボット部２０ｄの先端を支点として、姿勢をローリング方向またはピッチング方向に自由に変えることができるようになっている。
また、スライダには図示略の磁気ヘッド素子が備えられていて、記録媒体２５に記録磁界を印加して磁気記録情報を書き込めるようになっている。
【００２５】
また、舌片２１ｄからはストッパ２１ｅが立ち上がり、ストッパ２１ｅは、ロードビーム２０の水平平板部２０ｃに設けられた図示しない貫通孔に挿入されている。これにより、スライダ２２の浮上姿勢のローリング方向またはピッチング方向の過剰な傾きが規制される。
【００２６】
また、待避時のスライダ２２のローリング方向又はピッチング方向の過剰な動きを規制するために、スライダ２２の過剰な動きを規制する係合部２０ｉがロードビーム２０の曲下部２０ｈの先端に設けられ、係合部２０ｉがフレキシャ２１のフック部２１ｆに設けられた図示略の貫通孔に挿入される。
【００２７】
また、ロードビーム２０には折曲部２０ａが形成されている。折曲部２０ａは、ロードビーム２０の幅方向両端の両側部が上側、即ち記録媒体から離れた側に折り曲げられて形成されている。折曲部２０ａはロードビーム２０の長手方向に沿って形成されており、長手方向の剛性を高めている。
【００２８】
更に、図１及び図２に示す本実施形態の磁気ヘッド装置には、ロードビーム２０を上側に付勢するリフタ２６が備えられている。
リフタ２４は、図示略の駆動手段によって、上下方向に昇降するように構成されている。図１の実線で示すリフタ２６は上昇位置にある状態を示し、二点鎖線で示すリフタ２６は下降位置にある状態を示す。
リフタ２６は、上昇位置にてロードビーム２０の長手方向中央よりも基端２０ｍ寄りの下側からロードビーム２０を上側に付勢し、これによりスライダ２２が図中実線で示すような待避の状態に維持される。
また、リフタ２６が下降位置にある場合には、サスペンション部２３のバネ力によりロードビーム２０が記録媒体２５側に付勢され、これによりスライダ２２が図中二点鎖線で示す浮上姿勢の位置に付勢されて、記録媒体２５に磁気記録情報を書込み可能となる。
【００２９】
また、図１及び図２に示す本実施形態の磁気ヘッド装置には、待避状態となるように付勢されたロードビーム２０を係止する第１係止部材２７と、付勢されたロードビーム２０の先端２０ｎを係止する第２係止部材２９と、第１、第２係止部材２７、２９の間に位置してロードビーム２０を係止する第３係止部材３０とが備えられている。
第１、２、３係止部材２７、２９、３０は、ロードビーム２０の上側に備えられたカバー２８と一体で形成されている。
【００３０】
カバー２８は、基体２４に取り付けられおり、ロードビーム２０の上側に位置して基体２４側からロードビーム２０に沿って延在している。このカバー２８には、ロードビーム先端２０ｎ側に対応する位置に貫通孔２８ａが設けられており、更に貫通孔２８ａに連通する収納穴２８ｂがカバー２８の基端側に延在して設けられている。
【００３１】
第１係止部材２７は、リフタ２６よりもフレキシャ２１側に位置しており、収納穴２８ｂの壁部に形成されている。リフタ２６によりロードビーム２０が上側に付勢されると、ロードビーム２０の折曲部２０ａが第１係止部材２７に接して係止され、ロードビーム２０がそれ以上上側に付勢されないように構成されている。
【００３２】
また、第２係止部材２９は、カバー２８の貫通孔２８ａより先端側に形成されており、リフタ２６により付勢されたロードビーム先端２０ｎが係止されるようになっていて、第１係止部材２７と共にロードビーム２０を固定している。
更に詳細に説明すると、第２係止部材２９は、水平平板部２０ｃの先端、及びフレキシャ２１の固定部２０ａに設けられたガイド爪２１ｉに上側から接するようになっている。
これにより、ロードビーム２０が付勢された状態で磁気ヘッド装置に外部から衝撃が加えられた場合でも、第２係止部材２９によって、垂直平板部２０ｂ及び水平平板部２０ｃが上側に大きく変位することがない。これにより、ロードビーム先端２０ｎ及びフレキシャ２１の変形が防止されて、ロードビーム２０に対するスライダ２２の取付姿勢を正常に保つことができる。
【００３３】
また、第３係止部材３０は、第１、第２係止部材２７、２９の間に形成されており、リフタ２６により付勢されたロードビーム２０が係止されるようになっていて、第１、２係止部材２７，２９と共にロードビーム２０を固定する。
更に詳細に説明すると、第３係止部材３０は、第１係止部材２７の形成位置より先端側、即ち収納穴２８ｂの壁部から先端側に突出して形成され、同時に貫通孔２８を区画しているものである。そして、この第３係止部材３０に対して、ロードビーム２０の折曲部２０ａのフレキシャ側先端２０ｊが接している。これにより、折曲部２０ａはフレキシャ側先端２０ｊで第３係合部材３０に接すると共に、フレキシャ側先端２０ｊよりも基端２０ｍ側で第１係止部材２７に接することになる。
これにより、従来のように第１係止部材２７のみでロードビーム２０を係止した場合と比べて、外部衝撃によりロードビーム２０に印加される抗折力が分散され、ロードビーム２０の歪みが小さくなって変形が防止される。
【００３４】
また、ロードビーム２０が待避状態に付勢されると、図１に示すように、第１係止部材２７より先端２０ｎ側にあるロードビーム２０が貫通孔２８ａ及び収納穴２８ｂ内に配置される。これにより、ロードビーム２０の先端部分をカバー２８で固定することができ、磁気ヘッド装置の耐衝撃性をより一層高めることができる。
【００３５】
また図１に示すように、本実施形態の磁気ヘッド装置には、スライダ２２の媒体対向面２２ａと離れて対向するスライダ受３１が備えられている。このスライダ受３１は、図示略の駆動手段に取り付けられていて、スライダ２２に対して相対移動できるようになっている。即ち、スライダ２２が待避状態にある時にはスライダ受３１が媒体対向面２２ａに対向する位置まで移動し、スライダ２２が浮上姿勢に至る場合にはスライダ受３１が例えば図１中左方向に移動し、スライダ２２が記録媒体２５上まで下降できるようになっている。
これにより、磁気ヘッド装置に外部から衝撃が加えられた場合に、スライダ２２が橋絡部２１ｂより先の舌片２１ｄごと下方に向けて変位したとしても、スライダ２２がこのスライダ受３１に接触し、それ以上は下側に変位しないので、フレキシャ２１の変形が防止されて、ロードビーム２０に対するスライダ２２の取付姿勢を正常に保つことができる。
【００３６】
更に図１に示すように、本実施形態の磁気ヘッド装置には、記録媒体２５側から水平平板部２０ｃ及びフレキシャ２１の固定部２１ａと離間して対向するロードビーム受３２が備えられている。このロードビーム受３２は、スライダ受３１と同様に図示略の駆動手段に取り付けられ、ロードビーム２０に対して相対移動できるようになっている。即ち、スライダ２２が待避状態にある時にはロードビーム受３２が水平平板部２０ｃに対向する位置まで移動し、スライダ２２が浮上姿勢に至る場合にはロードビーム受３２が例えば図１中左方向に移動してスライダ２２が記録媒体２５上まで下降できるようになっている。
これにより、磁気ヘッド装置に外部から衝撃が加えられた場合に、スライダ２２を支持する水平平板部２０ｃが下方に向けて変位したとしても、水平平板部２０ｃがこのロードビーム受３２に接触し、それ以上は下方に変位しないので、ロードビーム２０の変形が防止され、ロードビーム２０に対するスライダ２２の取付姿勢を正常に保つことができる。
【００３７】
更に図１に示すように、本実施形態の磁気ヘッド装置には第４係止部材３３が備えられている。第４係止部材３３は、サスペンション部２３を上側から係止するものである。この第４係止部材３３は、基体２４に固定されていても良く、カバー２８に取り付けられていてもよい。
この第４係止部材３３によってサスペンション部２３を固定することで、ロードビーム２０の変位をその基端２０ｍ側から防止することができ、耐衝撃性をより高めることができる。
【００３８】
この磁気ヘッド装置の動作を説明すると、静止姿勢時にはリフタ２６が図１中実線で示す上昇位置まで上昇してロードビーム２０を待避状態に付勢する。ロードビーム２０は第１、２、３係止部材２７、２９、３０と接触するまで付勢される。これと同時にスライダ受３１及びロードビーム受３２がそれぞれ、媒体対向面２２ａ及び水平平板部２０ｃと対向する位置まで移動する。
次に、記録媒体２５に対してスライダ２２が磁気記録情報を書込む場合は、リフタ２６が図１中一点鎖線で示す下降位置まで下降し、これと同時にスライダ受３１及びロードビーム受３２がそれぞれ、媒体対向面２２ａ及び水平平板部２０ｃとの対向位置から図中左方向に移動する。
これにより、サスペンション部２３の付勢力によってロードビーム２０が記録媒体２５上まで下降する一方、記録媒体２５の回転により生じた気流を受けてスライダ２２に揚力が加えられて、スライダ２２がが記録媒体２５上でサスペンション部２３のバネ力に抗して浮上する。
【００３９】
上記の磁気ヘッド装置によれば、リフタ２６及び第１係止部材２７に加えて、第３、第４係止部材３０，３３によりロードビーム２０を係止しているので、磁気ヘッド装置に強い衝撃が加えられた場合でもロードビーム２０が変位することがなく、磁気ヘッド装置の耐衝撃性を向上できる。
また、ロードビーム２０の先端を第２係止部材２９で係止するとともに、スライダ受３１及びロードビーム受３２によってスライダ２２及びロードビーム２０の動きを規制するので、磁気ヘッド装置の中で最も耐衝撃性に劣るスライダ２２及びフレキシャ２１周辺を保護することができ、フレキシャ２１の変形を防止してロードビーム２０に対するスライダ２２の取付姿勢を正常に保つことができる。
【００４０】
また、第１，２、３係止部材２７，２９、３０がカバー２８と一体で形成されているので、部品点数を削減することができ、磁気ヘッド装置の構成を簡素化できる。
【００４１】
更に、ロードビーム２０に設けられた折曲部２０ａに第１、第３係止部材２７，３０が係止するように構成されているので、ロードビーム２０の曲げ強度がこの折曲部２０ａの形成により向上し、ロードビーム２０が第１、第３係止部材２７，３０により係止された状態で外部から強い衝撃が加えられた場合でも、強度が向上してロードビーム２０の変形が防止され、磁気ヘッド装置の耐衝撃性を向上できる。
また、待避時にロードビーム２０の先端側が貫通孔２８ａ及び収納穴２９ｂ内に配置されるので、ロードビーム２０の先端をカバー２８で固定することができ、磁気ヘッド装置の耐衝撃性をより一層高めることができる。
【００４２】
【実施例】
衝撃試験前後における、待避状態のスライダの取付位置の変位量を測定した。
衝撃試験に用いた磁気ヘッド装置は２種類であり、１つは図１及び図２に示した本発明に係る磁気ヘッド装置（実施例）であり、もう１つは図５に示した従来の構成の磁気ヘッド装置（比較例）である。
衝撃試験は、実施例及び比較例の磁気ヘッド装置に対して、±ｘ方向、±ｙ方向及び±ｚ方向の６方向から１５００Ｇの衝撃力を、各方向についてそれぞれ３回ずつ印加した後に、磁気ヘッド装置を分解して、スライダの浮上姿勢の変位量を測定した。スライダの浮上姿勢は、球面に形成した浮上面２２ａが浮上時に最も媒体２５表面に近づく位置座標で表し、浮上面２２ａの中央をＯとした。
尚、±ｘ方向は、図１中紙面に垂直方向（手前が＋、奥が−）であり、±ｙ方向は図１中左右方向（左が＋、右が−）であり、±ｚ方向は図１中上下方向（上が＋、下が−）である。
また、１５００Ｇの衝撃力の印加は、振り子式衝撃試験器を用いて行った。
結果を図４及び図５に示す。
【００４３】
図３は、実施例の磁気ヘッド装置の衝撃試験前後におけるスライダの浮上姿勢のｘ方向及びｙ方向への変位量を示すグラフであり、図４は比較例の磁気ヘッド装置の変位量を示すグラフである。
また、図３中、白三角形及び白ひし形は衝撃試験前のスライダの浮上姿勢を示し、黒三角形及び黒ひし形は衝撃試験後のスライダの浮上姿勢を示している。
同様に、図４中、白丸、白三角形、白逆三角形、白四角形及び白ひし形は衝撃試験前のスライダの浮上姿勢を示し、黒丸、黒三角形、黒逆三角形、黒四角形及び黒ひし形は衝撃試験後のスライダの浮上姿勢を示している。
【００４４】
図３に示すように、実施例の磁気ヘッドでは、ｘ方向の変位量が最大で０．１５ｍｍ、ｙ方向の変位量が最大で０．２ｍｍに留まっている。
一方、図４に示すように、比較例の磁気ヘッドでは、ｘ方向の変位量が最大で０．９ｍｍ、ｙ方向の変位量が最大で０．６ｍｍに達しており、実施例に比べて明らかに変位量が大きくなっていることが分かる。
【００４５】
このように、本発明に係る磁気ヘッド装置では、第２，第３、第４係合部材及びスライダ受並びにロードビーム受によって、ロードビーム及びフレキシャを固定しているので、大きな衝撃を繰り返し加えた場合でもスライダの浮上姿勢の変位量を最小限に留めることができ、耐衝撃性を向上できることが分かる。
【００４６】
【発明の効果】
以上、詳細に説明したように、本発明の磁気ヘッド装置によれば、リフタ及び第１係止部材に加えて、第３、第４係止部材によりロードビームを係止しているので、磁気ヘッド装置に強い衝撃が加えられた場合でもロードビームが変位することがなく、磁気ヘッド装置の耐衝撃性を向上できる。
また、ロードビーム先端を第２係止部材で係止部材で係止するとともに、スライダ受及びロードビーム受によってスライダ及びロードビームの動きを規制しているので、磁気ヘッド装置の中で最も耐衝撃性に劣るスライダ及びフレキシャ周辺を保護することができ、フレキシャの変形を防止してロードビームに対するスライダの取付姿勢を保つことができる。
【図面の簡単な説明】
【図１】   本発明の実施形態の浮上式の磁気ヘッド装置の要部を示す図であってスライダの待避時の状態を示す側面図である。
【図２】   図２は図１の磁気ヘッド装置の要部を示す平面図である。
【図３】   実施例の磁気ヘッド装置のスライダの浮上姿勢のｘ方向及びｙ方向の変位量を示すグラフである。
【図４】   比較例の磁気ヘッド装置のスライダの浮上姿勢のｘ方向及びｙ方向の変位量を示すグラフである。
【図５】   従来の浮上式の磁気ヘッド装置の要部を示す図であってスライダの待避時の状態を示す側面図である。
【符号の説明】
２０  ロードビーム
２０ａ  折曲部
２０ｊ  フレキシャ側先端
２０ｍ  ロードビームの基端
２０ｉ  ロードビームの先端
２１  フレキシャ
２２  スライダ
２２ａ  媒体対向面
２３  サスペンション部
２４  基体
２５  記録媒体
２６  リフタ
２７  第１係止部材
２８  カバー
２８ａ  貫通孔
２８ｂ  収納穴
２９  第２係止部材
３０  第３係止部材
３１  スライダ受
３２  ロードビーム受
３３  第４係止部材
【図１】
0003746213.tif 000002
【図２】
0003746213.tif 000003
【図３】
0003746213.tif 000004
【図４】
0003746213.tif 000005
【図５】
0003746213.tif 000006